(57)【要約】【課題】高転送レート短波長仕様に則ったレーザダイオードに供給される駆動電流の応答周波数を安定化させる。【解決手段】波形生成部とレーザダイオードとの間に挿入した抵抗Ｒ４によって、この波形生成部の出力容量とレーザダイオードまでの線路インダクタンスによる並列共振Ｑをダンピングし、レーザダイオード駆動回路の出力端電圧をトランジスタＱ１にて増幅した後、この出力電圧の高域成分を抵抗Ｒ４とレーザドライバ間に加算することにより最大平坦帯域を得る。【選択図】  図２
2005057207.tif 000002
【特許請求の範囲】
【請求項１】
半導体発光素子にパルス状の駆動電流を供給する半導体発光素子駆動回路において、
半導体発光素子を駆動する駆動電流波形を生成する波形生成手段と、
上記波形生成手段の出力容量と上記半導体発光素子と間に経路インダクタンスを有し該波形生成手段の出力容量との間で電流共振することで上記波形生成手段の出力端電圧を増幅する増幅手段と、
上記波形生成手段の出力容量と上記半導体発光素子との間に設けられ上記波形生成手段の出力容量と上記半導体発光素子までの経路インダクタンスとによる並列共振をダンピングする抵抗手段と、
上記増幅した出力電圧の高域成分が上記抵抗手段と上記半導体発光素子との間に接続されることを特徴とする半導体発光素子駆動回路。
【請求項２】
上記増幅した出力電圧の高域成分の周波数特性を調整する周波数補償手段を備えること特徴とする請求項１記載の半導体発光素子駆動回路。
【請求項３】
記録媒体に対して光学記録再生方式にてデータを記録する光学記録再生装置において、
半導体発光素子を駆動する駆動電流波形を生成する波形生成手段と、
上記波形生成手段の出力容量と上記半導体発光素子と間に経路インダクタンスを有し該波形生成手段の出力容量との間で電流共振することで上記波形生成手段の出力端電圧を増幅する増幅手段と、
上記波形生成手段の出力容量と上記半導体発光素子との間に設けられ上記波形生成手段の出力容量と上記半導体発光素子までの経路インダクタンスとによる並列共振をダンピングする抵抗手段と、
上記増幅した出力電圧の高域成分が上記抵抗手段と上記半導体発光素子との間に接続され半導体発光素子にパルス状の駆動電流を供給する半導体発光素子駆動回路を備えることを特徴とする光学記録再生装置。
【請求項４】
上記半導体発光素子駆動回路は、上記増幅した出力電圧の高域成分の周波数特性を調整する周波数補償手段を有すること特徴とする請求項３記載の光学記録再生装置。
【発明の詳細な説明】
【技術分野】
【０００１】
本発明は、半導体発光素子駆動回路及び光学記録再生装置に関し、特に、より高転送レート短波長のレーザ光を発生する半導体発光素子を駆動する半導体発光素子駆動回路及び光学記録再生装置に関する。
【背景技術】
【０００２】
光学的読み取りを応用した、いわゆるＣＤ（Compact Disc）のようなディスク状記録媒体（以下、光ディスクと記す。）は、記憶容量が大きくランダムアクセスが可能である。光学的読み取りは、非接触であることから、磁気テープのような接触型の記録媒体と比較してヘッドクラッシュ等の危険や、読み取りによるヘッド及び媒体の摩耗・損傷がない。さらにディスク表面が頑丈なことから偶発的なデータ消失の危険性も少ない。このように多くの利点をもつ光ディスクは、コンピュータ周辺のメモリとして、またデータ制作・データ保存において優れた記録媒体である。
【０００３】
近年では、ＣＤ−Ｒ（Compact Disc-Recordable）、ＣＤ−ＲＷ（Compact Disc-Rewritable）のように記録可能な光ディスク及びこの光ディスクに対する記録再生装置、さらには、より大きな記憶容量を実現したＤＶＤ（Digital Versatile Disc）、また、ＤＶＤに対して記録可能としたＤＶＤ−Ｒ、ＤＶＤ＋ＲＷ、ＤＶＤ−Ｒ／Ｗ等が実用化されている。
【０００４】
図６に、従来のＣＤ（ＣＤ−Ｒ，ＲＷを含む）の記録再生装置に適用されるレーザダイオード駆動回路１００の一例を示した。
【０００５】
レーザダイオード駆動回路１００におけるトランジスタＴｒ１０１とトランジスタＴｒ１０２は、電流スイッチング用のトランジスタであって互いに差動接続されている。トランジスタＴｒ１０１、Ｔｒ１０２のベースには、逆極性の記録データに対応する入力信号ｘ、ｙがそれぞれ印加される。トランジスタＴｒ１０１とＴｒ１０２の共通エミッタには、電流値設定用の抵抗Ｒ１０１を介して基準電圧Ｖｃｃに接続されている。このレーザダイオード駆動回路では、トランジスタＴｒ１０３及びＴｒ１０４のエミッタにそれぞれ抵抗Ｒ１０３、Ｒ１０４を接続して定電流回路を構成している。抵抗Ｒ１０３と抵抗Ｒ１０４との抵抗値の比は、ｎ：１（ｎ＞１）に設定されている。
【０００６】
このレーザダイオード駆動回路では、入力信号ｘ＝１、ｙ＝０のときは、トランジスタＴｒ１０１がオン、トランジスタＴｒ１０２がオフになり、このときトランジスタＴｒ１０４には電流が流れないためレーザダイオードに電流が流れない。入力信号ｘ＝０、ｙ＝１のときは、トランジスタＴｒ１０１がオフ、トランジスタＴｒ１０２がオンになって、トランジスタＴｒ１０３に電流が流れる。これによりトランジスタＴｒ１０４からレーザダイオードに抵抗Ｒ１０３とＲ１０４の比による電流が流れる。
【０００７】
レーザダイオード駆動回路が図６に示した構成になる場合、これを等価回路に表すと、図７のようになる。ここで、Ｃｏｕｔは駆動回路（Ｔｒ１０４）の出力容量を表し、Ｌ１０１は伝送路のインダクタンスを表し、Ｃｔはレーザダイオードの端子間容量を表し、Ｒｄはレーザダイオードの動作抵抗を表している。
【０００８】
一般的に、レーザダイオード駆動回路では、レーザダイオードの動作周波数に併せて高速にスイッチングしようとすると各トランジスタ等の特性のばらつきがレーザダイオードに供給される電流の周波数特性に影響し、この周波数を適応周波数帯外に低下させてしまうような問題が生じる。そのため、レーザダイオードに供給される電流の周波数特性を調整するための回路を設ける（例えば、特許文献１参照。）などして、発生されるレーザ光の特性を向上するための対策が興じられている。
【０００９】
【特許文献１】特開平８−１８６３１２号公報
【発明の開示】
【発明が解決しようとする課題】
【００１０】
従来のＣＤ（ＣＤ−Ｒ、ＲＷを含む。）対応の記録再生装置では、転送レートが１０Ｍｂ／sec程度であったため記録時におけるレーザ光パルス帯域は、１００ＭＨｚ程度あれば十分であった。
【００１１】
ところが、ＤＶＤ−Ｒ、ＤＶＤ＋ＲＷ、ＤＶＤ−Ｒ／Ｗ等の仕様では、レーザ光波長が６５０ｎｍ台から４００ｎｍ台にまで短くなっており、波長４００ｎｍ付近を使用するＤＶＤ―Ｒでは、３５Ｍｂ／sec、２倍速では７０Ｍｂ／sec程度の転送レートが要求される。このとき必要とされるレーザ光パルス帯域は、３００〜５００ＭＨｚ程度になる。
【００１２】
ここで、ＤＶＤに対応したレーザダイオード駆動回路を上述したように等価回路として考えたとき、ＣＤでは約５Ω程度であったレーザダイオードの動作抵抗Ｒｄは１５〜２０Ωに、レーザダイオードの端子間容量Ｃｔは３０ｐＦ程度になる。レーザダイオードの応答周波数は、等価回路として考えたときの共振周波数として表されるため、Ｒｄ値、Ｃｔ値の増大によって応答周波数が低下するという問題点がある。
【００１３】
また、レーザダイオード駆動回路は、通常ＩＣ化されているが、ＣＤの仕様とＤＶＤの仕様とを比べると駆動するレーザダイオードの駆動電圧Ｖｏｐが２．５Ｖから４．５Ｖへ増大するものの、駆動電流Ｉｏｐが８０ｍＡ程度であってＣＤと同等であるため、ＣＤの仕様に比べてレーザダイオード駆動回路の出力容量Ｃｏｕｔが増大する。また、レーザダイオード駆動回路では、各トランジスタは並列に配置されるため、トランジスタ耐圧を高くして出力電流を大きくしようとすれば、出力容量が増大する。さらに、機器の小型化の制約を受けてレーザダイオードドライバとレーザダイオード間の距離が増加する傾向にあり、レーザダイオード駆動回路がレーザダイオードに直接接続されず出力容量が増大する場合もある。
【００１４】
図８には、従来のレーザダイオード駆動回路１０１のレーザ光パルス周波数の変調特性が示されている。図８に示す曲線ａは、図７に示した等価回路において、Ｃｏｕｔ＝２０ｐＦ、Ｌ１０１＝５ｎＨ、Ｃｔ＝３０ｐＦ、レーザダイオードの動作抵抗Ｒｄ＝８Ωの場合である。また、曲線ｂは、Ｃｏｕｔ＝２０ｐＦ、Ｌ１０１＝５ｎＨ、Ｃｔ＝３０ｐＦ、Ｒｄ＝１８Ωの場合である。図８に示すように、Ｒｄが小さければレーザダイオード駆動回路の出力容量が多少大きくなっても問題ないが、同一の出力容量であってもレーザダイオードの動作抵抗が１８Ωの場合には、周波数特性が必要帯域において低下してしまう。
【００１５】
以上のようなことから、ＤＶＤのような高転送レート短波長のレーザダイオードを用いる場合、レーザダイオードに供給される駆動電流の応答周波数が低下し、レーザ光パルス帯域が２００〜３００ＭＨｚに留まってしまうのが現状であり、何らかの対策を興じる必要があった。
【００１６】
そこで本発明は、このような従来の実情に鑑みて提案されたものであり、ＤＶＤのような高転送レート短波長仕様に則った半導体発光素子に供給される駆動電流の応答周波数を安定化させる半導体発光素子駆動回路及び光学記録再生装置を提供することを目的とする。
【課題を解決するための手段】
【００１７】
上述した目的を達成するために、本発明に係る半導体発光素子駆動回路は、波形生成手段において半導体発光素子を駆動する駆動電流波形を生成し、波形生成手段の出力容量と半導体発光素子と間に経路インダクタンスを挿入し、波形生成手段の出力容量との間で電流共振することで波形生成手段の出力端電圧を増幅し、波形生成手段の出力容量と半導体発光素子との間に抵抗手段を設け、この抵抗手段によって、波形生成手段の出力容量と半導体発光素子までの経路インダクタンスとによる並列共振をダンピングする。増幅された出力端電圧の高域成分は、抵抗手段と半導体発光素子との間に接続する。この半導体発光素子駆動回路は、増幅した出力電圧の高域成分の周波数特性を調整する周波数補償手段を備えるとよい。
【００１８】
また、本発明に係る光学記録再生装置は、波形生成手段において半導体発光素子を駆動する駆動電流波形を生成し、波形生成手段の出力容量と半導体発光素子と間に経路インダクタンスを挿入し、波形生成手段の出力容量との間で電流共振することで波形生成手段の出力端電圧を増幅し、波形生成手段の出力容量と半導体発光素子との間に設けられる抵抗手段によって波形生成手段の出力容量と半導体発光素子までの経路インダクタンスとによる並列共振をダンピングするようにした半導体発光素子駆動回路を備える。この回路では、抵抗手段を波形生成手段の出力容量と半導体発光素子との間に設け、増幅された出力端電圧の高域成分を抵抗手段と半導体発光素子との間に接続する。半導体発光素子駆動回路は、増幅した出力電圧の高域成分の周波数特性を調整する周波数補償手段を備えるとよい。
【発明の効果】
【００１９】
以上詳細に説明したように、本発明に係る半導体発光素子駆動回路によれば、波形生成手段の出力容量と半導体発光素子と間に経路インダクタンスを挿入し、波形生成手段の出力容量との間で電流共振することで波形生成手段の出力端電圧を増幅し、抵抗手段によって、波形生成手段の出力容量と半導体発光素子との間に設けられ波形生成手段の出力容量と半導体発光素子までの経路インダクタンスとによる並列共振をダンピングし、増幅された出力端電圧の高域成分を抵抗手段と半導体発光素子との間に接続することにより、半導体発光素子、特に高転送レート短波長仕様に則った半導体発光素子に供給される駆動電流の応答周波数の低下を防ぎ、駆動電流波形を安定化させることができる。
【００２０】
また、本発明に係る光学記録再生装置によれば、半導体発光素子駆動回路の波形生成手段の出力容量と半導体発光素子と間に経路インダクタンスを挿入し、波形生成手段の出力容量との間で電流共振することで波形生成手段の出力端電圧を増幅し、抵抗手段によって、波形生成手段の出力容量と半導体発光素子との間に設けられ波形生成手段の出力容量と半導体発光素子までの経路インダクタンスとによる並列共振をダンピングし、増幅された出力端電圧の高域成分を抵抗手段と半導体発光素子との間に接続することにより、半導体発光素子、特に高転送レート短波長仕様に則った半導体発光素子に供給される駆動電流の応答周波数の低下を防ぎ、駆動電流波形を安定化させることができる。
【００２１】
したがって、本発明に係る光学記録再生装置は、高転送レート短波長仕様に則った記録媒体に対する記録及び再生特性が向上する。
【発明を実施するための最良の形態】
【００２２】
まず始めに、図７に示すレーザダイオード駆動回路の等価回路において、Ｃｔを変化させた場合の周波数特性について図９を用いて説明する。図９において、曲線ｃは、Ｃｏｕｔが２０ｐＦ、Ｌ１０１が２５ｎＨ、Ｃｔが０ｐＦ、Ｒｄが１８Ωの場合であり、曲線ｄは、Ｃｏｕｔが２０ｐＦ、Ｌ１０１が２５ｎＨ、Ｃｔが３０ｐＦ、Ｒｄが１８Ωの場合である。
【００２３】
Ｃｔ＝０とするとき、この等価回路は、Ｒｄをダンピング抵抗としたＣｏｕｔとＬ１０１の共振回路になりｆ０は、次式にて与えられる。ｆ０＝１／（２π（Ｌ１０１＊Ｃｏｕｔ）１／２）。ここにＣｔが付加されると複共振となる。ＲｄのインピーダンスがＣｔに比べて十分小さければｆ０は変わらないが、大きくなるにつれて周波数特性に影響を及ぼすことが判る。
【００２４】
図９では、Ｃｔ＝３０ｐＦのとき（曲線ｄ）の周波数特性は、１００ＭＨｚ付近で１．０ｄＢ程度低下している。すなわち、レーザダイオード（ＬＤ）の出力容量Ｃｏｕｔと、伝送路のインダクタンスＬ１０１とによる並列共振Ｑによって周波数特性が変化する。
【００２５】
そこで、本発明は、光学記録再生部に設ける半導体発光素子駆動回路の出力容量と半導体発光素子であるレーザダイオードまでの間に線路インダクタンスを挿入し出力容量との間で電流共振させることによって出力端電圧を増幅する。さらに、半導体発光素子駆動回路の出力容量とレーザダイオードとの間に共振をダンピングする抵抗を挿入し、増幅して得られた高域成分をこの抵抗とレーザダイオードとの間に接続することによって、データ記録時における記録光の駆動電流のパルス周波数応答性を改善し、レーザダイオードの動作抵抗やレーザダイオードの端子間容量による駆動電流の周波数応答の低下及び半導体発光素子駆動回路の出力容量の増大を補正できるようにした。
【００２６】
以下、本発明の具体例について図面を参照して詳細に説明する。
【００２７】
本発明の具体例として示す光学記録再生装置１は、図１に示すように、光学記録媒体１０に対して書き込み及び／又は読み出しを行う光学記録再生のためのＯＰ（Optical Pickup）部１１と、読み出した信号をＲＦ処理する及びＲＦ処理した各信号からサーボ信号を生成するＲＦアンプ部１２と、ＲＦアンプ部１２からの信号に基づいて各ドライバを制御するアナログ信号を生成する、及び光学記録媒体１０からの読み出し信号を処理する信号処理部１３と、各部を制御する制御部１４とを備え、光学記録媒体１０に対して、データの書き込み及びデータの読み出しを行う。
【００２８】
ＯＰ（Optical Pickup）部１１は、対物レンズ２０、レーザダイオード（ＬＤ）２１、レーザダイオード駆動回路（ＬＤdrv）２２、フォトディテクトＩＣ（ＰＤＩＣ）２３、ハーフミラー（図示せず）等を含み、光信号を検出してＲＦアンプ部１２へと出力する。また、光学記録媒体１０に対して記録する際には、ピット形成に必要な信号処理部１３からのレーザの点滅・駆動信号（ＤＥＣＥＦＭＷ）、レーザ強度と明滅の最適値を示す（ライトストラテジ）信号等に基づいて光学記録媒体１０に対してデータの書き込みを行う。
【００２９】
ＲＦアンプ部１２は、ＯＰ部１１から検出されたビームシグナル、サイド、メインからなる８系統の信号をサンプリング及びホールドし、演算処理を行って、８系統の信号のうちの所定の信号からＦＥ（フォーカスエラー）、ＴＥ（トラッキングエラー）、ＡＴＩＰ（Absolute Time In Pregroove）、読み出し主信号等の信号を生成する。また、ＲＦアンプ部１２は、生成した信号のうちＦＭＤＴ（Frequency Modulation Data）、ＦＭＣＫ（Frequency Modulation Clock）、ＴＥ、ＦＥを信号処理部１３へと出力し、試し書きによって検出したレーザ強度の最適値（ＯＰＣ：Optical Power Calibration）信号及びレーザ点滅・駆動信号を信号処理部１３へと出力し、ＭＩＲＲを制御部１４へと出力する。
【００３０】
信号処理部１３では、ＲＦアンプ部１２からのＦＭＤＴ（Frequency Modulation Data）、ＦＭＣＫ（Frequency Modulation Clock）、ＴＥ、ＦＥを入力し、制御部１４に制御されて光ディスク特有の各種サーボを制御する信号を生成し、信号処理部１３内のアナログフィルタ処理にて使用する。光学記録媒体１０に対してデータを書き込む場合には、レーザの点滅駆動信号、レーザ強度の最適値を示す信号等の信号をＯＰ部１１に対して出力する。
【００３１】
アナログフィルタ処理では、各種サーボの制御信号からアナログ信号を生成して、スピンドルドライバ、スレッドドライバ、トラッキングドライバ、フォーカスドライバにて使用する。スピンドルドライバは、アナログフィルタ処理で得た信号に基づいてスピンドルモータ１５の回転を制御する。また、スレッドドライバは、アナログフィルタ処理で得た信号に基づいてスレッドモータ１６のスレッド動作を制御する。トラッキングドライバは、アナログフィルタ処理で得た信号に基づいてＯＰ部１１を揺動し、光学記録媒体１０のディスク表面に照射されるビームスポットの位置を制御する。フォーカスドライバは、アナログフィルタ処理で得た信号に基づいてＯＰ部１１を光学記録媒体１０のディスク表面に対して垂直方向に動かしてレーザ焦点の調整を制御する。
【００３２】
信号処理部１３は、図示しないが、スピンドルモータ１５の回転を制御するスピンドルドライバ、スレッドモータ１６の動作を制御するスレッドドライバ、ＯＰ部１１の対物レンズを揺動するトラッキングドライバ、記録媒体に対してＯＰ部１１の対物レンズを垂直方向に動かしてビーム焦点を制御するフォーカスドライバを制御する信号処理をしている。
【００３３】
制御部１４は、プログラムを格納するプログラムメモリと、ＣＰＵの作業領域としてのＤＲＡＭ（Dynamic Random Access Memory）、ＲＯＭ、ＥＰＲＯＭのような不揮発性メモリと、ＣＰＵとを備え、光学記録再生装置１の動作を統括している。
【００３４】
続いて、上述した光学記録再生装置１のＯＰ部１１に適用するレーザダイオード駆動回路（ＬＤdrv）の詳細を図２を用いて説明する。図７にて示した共振Ｑを利用して最大平坦帯域を得ようとするものであり、線路インダクタンスを挿入して、出力容量と電流共振させることによって電圧増幅している。
【００３５】
レーザダイオード駆動回路２２におけるトランジスタＱ１のコレクタには、一端が接地されたコンデンサＣ０が接続され、トランジスタＱ１のベースは、図示しない駆動電流パルスを生成する波形生成部と接続されている。また、トランジスタＱ１のエミッタは、Ｑ２のコレクタに接続されるとともに抵抗Ｒ５と直列接続されたＣ１とを介してレーザダイオード２１に接続されている。
【００３６】
トランジスタＱ２のコレクタには、トランジスタＱ１のエミッタが接続され、トランジスタＱ２のエミッタは、接地された抵抗Ｒ３に接続されている。また、トランジスタＱ２のベースは、抵抗Ｒ１と接地されたＲ２とに接続されている。トランジスタＱ１は、レーザダイオード駆動回路２２の端子電圧バッファになっており、上記抵抗Ｒ１，Ｒ２，Ｒ３とＱ２とで構成された定電流回路を負荷としている。ここでトランジスタＱ１のエミッタに接続される抵抗Ｒ５とコンデンサＣ１は、波形生成部から送られる駆動電流周波数の振幅を補償する補償回路を形成しており、トランジスタＱ１におけるバッファ出力電圧が抵抗Ｒ４とレーザダイオード２１との間に接続されている。
【００３７】
すなわち、レーザダイオード駆動回路２２は、波形生成部の出力容量とレーザダイオードまでの線路インダクタンスとによる並列共振Ｑを利用し、波形生成部とレーザダイオード２１との間に挿入した抵抗Ｒ４によってダンピングし、レーザダイオード駆動回路２２の出力端電圧をトランジスタＱ１にて増幅した後、この出力電圧の高域成分を抵抗Ｒ４とレーザダイオード間に加算することにより最大平坦帯域を得ている。
【００３８】
図３は、レーザダイオード駆動回路２２の動作特性を示している。図３の曲線Ａは、波形生成部の出力容量とレーザダイオードまでの線路インダクタンスとを共振させた場合のレーザダイオードの変調特性を示し、曲線Ｂは、波形生成部の出力容量とレーザダイオードまでの線路インダクタンスとを共振させてＲ４にてダンピングするとともに、抵抗Ｒ５とコンデンサＣ１とで形成される補償回路によって波形生成部から送られる駆動電流周波数の振幅を補償した場合のレーザダイオードの変調特性を示し、曲線Ｃは、波形生成部の出力容量とレーザダイオードまでの線路インダクタンスとを共振させてＲ４にてダンピングした場合のレーザダイオードの変調特性を示している。
【００３９】
また図４は、レーザダイオード駆動回路２２の周波数遅延特性を示す。図４において、曲線Ｄは、波形生成部の出力容量とレーザダイオードまでの線路インダクタンスとを共振させた場合のレーザダイオードの周波数遅延特性、すなわち図３における曲線Ａに対応する周波数遅延特性であり、曲線Ｅは、抵抗Ｒ５とコンデンサＣ１とで形成される補償回路によって波形生成部から送られる駆動電流周波数の振幅を補償した場合のレーザダイオードの周波数遅延特性（図３の曲線Ｂに対応する。）を示している。
【００４０】
図３及び図４によれば、レーザダイオード駆動回路２２は、共振によって必要帯域におけるレーザ応答周波数の特性劣化を防止するとともに、Ｒ４によって共振をダンピングし、さらに補償回路を備えることによって、レーザダイオードの周波数遅延特性が平坦化され、しかも低帯域における周波数振幅低減が改善されて良好な周波数特性を得ることができる。
【００４１】
また、このレーザダイオード駆動回路２２は、波形生成部の出力容量とレーザダイオードまでの線路インダクタンスとを共振させるのみであっても、必要帯域において良好な変調特性を得ることができる（図５）が、ダンピング抵抗Ｒ４の抵抗値を変化させれば、さらに良好な周波数特性が得られることが判る。図５に示す曲線ＦはＲ４＝０Ωの場合であり、曲線ＧはＲ４＝５Ω、曲線ＨはＲ４＝１０Ωの場合である。ダンピングしない場合は、周波数特性にピークが現れ、オーバーシュートにつながる。また、抵抗値を高くしすぎた場合には、低帯域を含めた全体の周波数振幅低減が大きくなってしまう。
【００４２】
レーザダイオード駆動回路２２は、共振周波数が必要帯域に対して十分に高く、１／（２π（Ｃｔ＋Ｃｏｕｔ）１／２＊Ｒｄ）が十分に高いときには、ダンピング抵抗を挿入するのみでも十分効果が得られるが、図５に示すように、Ｒ４の値が大きくなるにつれて低域部分が低下して共振するようになり高域の減衰が大きくなる。そのため、必要帯域において減衰し過ぎないダンピング抵抗を選択することが重要である。
【００４３】
以上のように、波形生成部の出力端電圧をバッファアンプで増幅した後、ダンピング抵抗とレーザダイオード線路との間に、この増幅した駆動電流の高域成分を加えることによって、波形生成部の出力容量、レーザダイオードの動作抵抗Ｒｄ、レーザダイオードの端子間容量Ｃｔによるレーザダイオードの駆動電流の周波数応答の低下を補正することができる。
【図面の簡単な説明】
【００４４】
【図１】本発明の具体例として示す記録再生装置の構成を説明する構成図である。
【図２】上記記録再生装置のＯＰ部に組み込まれるレーザダイオード駆動回路を説明する回路図である。
【図３】レーザダイオード駆動回路の動作特性を説明する図である。
【図４】レーザダイオード駆動回路の周波数遅延特性を説明する図である。
【図５】レーザダイオード駆動回路において、ダンピング抵抗Ｒ４の抵抗値による周波数特性の変化を示す図である。
【図６】従来の光学記録再生装置におけるレーザダイオード駆動回路を説明する回路図である。
【図７】従来の光学記録再生装置におけるレーザダイオード駆動回路の等価回路を説明する回路図である。
【図８】従来の光学記録再生装置におけるレーザダイオード駆動回路の駆動電流の周波数特性を説明する図である。
【図９】従来のレーザダイオード駆動回路の等価回路においてＣｔを変化させた場合の変調特性を示す図である。
【符号の説明】
【００４５】
１    記録再生装置，  １０    記録媒体，  １１    ＯＰ部，
１２    ＲＦアンプ部，  １３    信号処理部，  １４    制御部，
１５    スピンドルモータ，  １６    スレッドモータ，
２０    レーザダイオード駆動回路
【図１】
2005057207.tif 000003
【図２】
2005057207.tif 000004
【図３】
2005057207.tif 000005
【図４】
2005057207.tif 000006
【図５】
2005057207.tif 000007
【図６】
2005057207.tif 000008
【図７】
2005057207.tif 000009
【図８】
2005057207.tif 000010
【図９】
2005057207.tif 000011